(57)【要約】【課題】所定の対象物に容易に確実に装着することができる一方で、取り外しが容易であり、取り外した後に対象物の表面を貼着剤で汚すことがなく、貼着剤を使って貼り付けることが不適切な対象物に対しても装着可能な、ラベルなどの所定のシート物を作成する。【解決手段】基材テープ３２と貼着層３３と剥離テープ３４が積層された印刷テープの剥離テープ３４のみ切断する切断機能を有し棒状対象物に装着するラベル４０を作成する切断装置で、テープ所定方向に沿って対象物外周の少なくとも一回りに巻回する巻回領域４０ａを設定すると共に巻回領域４０ａを対象物に巻回した該領域４０ａ上に貼着する貼着領域４０ｂ及び非巻回領域４０ｃを設定し、巻回領域４０ａ及び非巻回領域４０ｃの剥離テープ３４を残して貼着領域４０ｂの剥離テープ３４のみ剥離すべく貼着領域４０ｂと巻回領域４０ａ，非巻回領域４０ｃとの境界で剥離テープ３４のみハーフカットＨＣする。【選択図】      図７
2006264031.tif 000002
【特許請求の範囲】
【請求項１】
基材シートと貼着層と剥離シートとが積層されたシート材を切断して、所定の対象物に装着するシート物を作成する切断装置であって、
前記対象物の外周長又はその外周長を求めるためのデータを記憶するデータ記憶手段と、
前記シート材の所定方向に沿って、前記データ記憶手段に記憶されたデータに基づいて前記対象物の外周の少なくとも一回りに巻回するための巻回領域を設定すると共に、その巻回領域を前記対象物に巻回した際に、その巻回領域上に貼着するための貼着領域、及び前記対象物に巻回しない非巻回領域を設定する領域設定手段と、
前記巻回領域及び前記非巻回領域の前記剥離シートを残して前記貼着領域の前記剥離シートのみを剥離するべく前記貼着領域の前記巻回領域と前記非巻回領域との境界で前記剥離シートのみを切断する剥離シート切断手段と、
を備えたことを特徴とする切断装置。
【請求項２】
前記巻回領域、前記貼着領域及び前記非巻回領域を備えるシート物を前記シート材から切り離すシート材切断手段を更に備えることを特徴とする請求項１記載の切断装置。
【請求項３】
前記データ記憶手段に予め前記データが記憶されている複数の前記所定の対象物を表示してユーザの操作により選択を行わせる選択手段を更に備え、
前記領域設定手段は、前記選択手段により選択された対象物の前記データ記憶手段に記憶されたデータに基づいて、前記巻回領域の前記所定方向の長さを設定することを特徴とする請求項１又は２記載の切断装置。
【請求項４】
前記データ記憶手段に対象物の外周長又はその外周長を求めるためのデータを登録する登録手段と、
前記登録手段により登録された前記データを呼び出す呼出し手段とを更に備え、
前記領域設定手段は、前記呼出し手段により呼び出された前記データに基づいて、前記巻回領域の前記所定方向の長さを設定することを特徴とする請求項１又は２記載の切断装置。
【請求項５】
前記データ記憶手段に記憶する前記データを入力するデータ入力手段を更に備え、
前記領域設定手段は、前記データ入力手段から入力されたデータに基づいて、前記巻回領域の前記所定方向の長さを設定することを特徴とする請求項１又は２記載の切断装置。
【請求項６】
前記領域設定手段は、対象物の外周に複数回巻きつけるべく前記巻回領域の前記所定方向の長さを設定することを特徴とする請求項１〜５何れか１項記載の切断装置。
【請求項７】
印刷すべきデータを記憶する印刷データ記憶手段と、
前記印刷データ記憶手段に記憶された印刷すべきデータを前記巻回領域、前記貼着領域又は前記非巻回領域の少なくとも１つに印刷する印刷手段とを更に備えることを特徴とする請求項１〜６何れか１項記載の切断装置。
【請求項８】
前記領域設定手段は、前記印刷データ記憶手段に記憶された印刷すべきデータに基づいて、前記非巻回領域の前記所定方向の長さを設定することを特徴とする請求項７記載の切断装置。
【請求項９】
前記切断手段の動作前、動作中又は動作後に、前記非巻回領域及び前記巻回領域に対応する前記剥離シートの除去を禁止する情報を案内する情報案内手段を更に備えることを特徴とする請求項１〜８何れか１項記載の切断装置。
【請求項１０】
前記印刷手段は、前記非巻回領域及び前記巻回領域に対して前記剥離シートの除去を禁止する旨の情報を印刷することを特徴とする請求項７記載の切断装置。
【請求項１１】
前記印刷手段は、前記シート材の前記所定方向及びその所定方向と直交方向に文字列を印字することを特徴とする請求項７記載の切断装置。
【発明の詳細な説明】
【技術分野】
【０００１】
本発明は、シート材を切断して所定のシート物を作成し、あるいはシート材に印刷を行うと共に、その印刷部分を切断して所定のシート物を作成する切断装置に関する。
【背景技術】
【０００２】
従来、テープ状のシート材である印刷テープを用いて、棒状や種々の形状の対象物に装着するラベルなどの所定のシート物を作成するための装置を開示するものがある（例えば、特許文献１参照。）。この特許文献に記載される装置では、印刷テープとして、基材テープと貼着層と剥離テープとが積層されたものを使用し、例えば、鉛筆といった棒状の対象物の外周に巻き付けて貼着する名前ラベルを作成しようとする場合には、そのラベルに印刷する名前の文字列を入力する一方、鉛筆の外周長を設定するために、丸形状や六角形状などの鉛筆の軸断面形状及びそれらの形状に係る直径や対向辺間の長さを入力して印刷を指示すると、印刷テープ上に入力された名前の文字列が印刷され、その印刷部分が設定された鉛筆の外周長に重ね代を加えた長さで切り離されて、名前ラベルが作成される。そして、作成したラベルは、剥離テープを除去して基材テープの裏面に貼着層を露出させた状態で、ラベルの一端部に設けられた重ね代を始端部として鉛筆の外周に周回し、貼着層によって鉛筆の外周面に貼着すると共に、ラベルの他端部を重ね代上に貼着することにより、鉛筆に名前ラベルを装着するものである。
【特許文献１】特表２００１−５１９７４２号公報
【発明の開示】
【発明が解決しようとする課題】
【０００３】
上記装置では、鉛筆などの棒状の対象物の外周に対応した適切な長さのラベルを簡単に作成することができるため便利である。また、その対象物に装着したラベルは、貼着層によって対象物の外周の一回りに貼り付き、さらに重ね代を設けることで、ラベルを強固に対象物に貼り付けることができ、一旦対象物に貼り付けると、強固に貼り付いて剥がれにくいため、鉛筆や筆記用具などに貼り付ける名前ラベルなどに使用すると、その貼着した状態を長く保持することができる。
【０００４】
ところで、ラベルの用途によっては、ラベルを短時間あるいは短期間だけ対象物に貼り付ければ用が足りる場合があり、そのような用途に使用したい場合がある。その場合には、対象物にラベルを貼着した後にラベルを取り外す作業が必要になる。
【０００５】
しかしながら、上記装置によって作成したラベルは、対象物の外周に貼着層によって強固に貼り付いているため、ラベルを取り除くために手間がかかる。また、貼着層によって対象物に貼り付けるものであるため、ラベルを取り除いた後の対象物の外周表面に貼着剤が残留することがあり、付着した貼着剤を取り除かなければならないことがある。また、対象物によっては、貼着剤に馴染まず、あるいは貼着剤を使って貼り付けることが不適切な場合がある。
【０００６】
本発明は、前述の問題点を解決するものであり、所定の対象物に容易に確実に装着することができる一方で、取り外しが容易であり、取り外した後に対象物の表面を貼着剤で汚すことがなく、貼着剤を使って貼り付けることが不適切な対象物に対しても装着が可能な、ラベルなどの所定のシート物を作成することができる切断装置を提供することを目的とする。
【課題を解決するための手段】
【０００７】
請求項１に記載の発明は、基材シートと貼着層と剥離シートとが積層されたシート材を切断して、所定の対象物に装着するシート物を作成する切断装置であって、前記対象物の外周長又はその外周長を求めるためのデータを記憶するデータ記憶手段と、前記シート材の所定方向に沿って、前記データ記憶手段に記憶されたデータに基づいて前記対象物の外周の少なくとも一回りに巻回するための巻回領域を設定すると共に、その巻回領域を前記対象物に巻回した際に、その巻回領域上に貼着するための貼着領域、及び前記対象物に巻回しない非巻回領域を設定する領域設定手段と、前記巻回領域及び前記非巻回領域の前記剥離シートを残して前記貼着領域の前記剥離シートのみを剥離するべく前記貼着領域の前記巻回領域と前記非巻回領域との境界で前記剥離シートのみを切断する剥離シート切断手段とを備えたことを特徴としている。
【０００８】
請求項２に記載の発明は、前記請求項１記載の切断装置において、前記巻回領域、前記貼着領域及び前記非巻回領域を備えるシート物を前記シート材から切り離すシート材切断手段を更に備えることを特徴としている。
【０００９】
請求項３に記載の発明は、前記請求項１又は２記載の切断装置において、前記データ記憶手段に予め前記データが記憶されている複数の前記所定の対象物を表示してユーザの操作により選択を行わせる選択手段を更に備え、前記領域設定手段は、前記選択手段により選択された対象物の前記データ記憶手段に記憶されたデータに基づいて、前記巻回領域の前記所定方向の長さを設定することを特徴としている。
【００１０】
請求項４に記載の発明は、前記請求項１又は２記載の切断装置において、前記データ記憶手段に対象物の外周長又はその外周長を求めるためのデータを登録する登録手段と、前記登録手段により登録された前記データを呼び出す呼出し手段とを更に備え、前記領域設定手段は、前記呼出し手段により呼び出された前記データに基づいて、前記巻回領域の前記所定方向の長さを設定することを特徴としている。
【００１１】
請求項５に記載の発明は、前記請求項１又は２記載の切断装置において、前記データ記憶手段に記憶する前記データを入力するデータ入力手段を更に備え、前記領域設定手段は、前記データ入力手段から入力されたデータに基づいて、前記巻回領域の前記所定方向の長さを設定することを特徴としている。
【００１２】
請求項６に記載の発明は、前記請求項１〜５何れか１項記載の切断装置において、前記領域設定手段は、対象物の外周に複数回巻きつけるべく前記巻回領域の前記所定方向の長さを設定することを特徴としている。
【００１３】
請求項７に記載の発明は、前記請求項１〜６何れか１項記載の切断装置において、印刷すべきデータを記憶する印刷データ記憶手段と、前記印刷データ記憶手段に記憶された印刷すべきデータを前記巻回領域、前記貼着領域又は前記非巻回領域の少なくとも１つに印刷する印刷手段とを更に備えることを特徴としている。
【００１４】
請求項８に記載の発明は、前記請求項７記載の切断装置において、前記領域設定手段は、前記印刷データ記憶手段に記憶された印刷すべきデータに基づいて、前記非巻回領域の前記所定方向の長さを設定することを特徴としている。
【００１５】
請求項９に記載の発明は、前記請求項１〜８何れか１項記載の切断装置において、前記切断手段の動作前、動作中又は動作後に、前記非巻回領域及び前記巻回領域に対応する前記剥離シートの除去を禁止する情報を案内する情報案内手段を更に備えることを特徴としている。
【００１６】
請求項１０に記載の発明は、前記請求項７記載の切断装置において、前記印刷手段は、前記非巻回領域及び前記巻回領域に対して前記剥離シートの除去を禁止する旨の情報を印刷することを特徴としている。
【００１７】
請求項１１に記載の発明は、前記請求項７記載の切断装置において、前記シート材の前記所定方向及びその所定方向と直交方向に文字列を印字することを特徴としている。
【発明の効果】
【００１８】
請求項１の発明に係る切断装置によれば、シート材に巻回領域、貼着領域及び非巻回領域を設定すると共に、貼着領域の巻回領域と非巻回領域との境界で剥離シートのみを切断することによって、剥離シートを残したままでその剥離シート面を所定の対象物の外周面に当てて該対象物に巻回する巻回領域と、剥離シートを除去して対象物に巻回した巻回領域上に貼着するための貼着領域と、剥離シートを残したままで対象物には巻回しない非巻回領域とを備えたシート物を作成することができる。したがって、巻回領域を対象物の外周に巻回し、貼着領域を巻回領域に貼着することにより貼着剤を対象物の外表面に接触させることなく対象物の外周に確実に装着することができ、また、非巻回領域を手指で摘んで貼着領域を巻回領域上から引き剥がすことにより容易に対象物からシート物を外すことができ、取り外した後に対象物の表面に貼着物が残留して汚れる不都合がないシート物を作成することができる。
【００１９】
請求項２の切断装置では、請求項１と同様の効果を奏するが巻回領域、貼着領域及び非巻回領域を設定するとともに、貼着領域の巻回領域と非巻回領域との境界で剥離シートを切断してなるシート物をシート材から切り離すことができる。
【００２０】
請求項３の切断装置では、請求項１又は２と同様の効果を奏するが、対象物を選択することによりその対象物の外周長のデータが得られるため、対象物の外周長を測定してその寸法を入力するなどの面倒な手間を必要とすることなく、対象物に巻回する巻回領域の必要な長さを確保することができ、ユーザがシート物作成作業を簡単に行うことができる。
【００２１】
請求項４の切断装置では、請求項１又は２と同様の効果を奏するが、予め用意されている対象物の他にユーザが使用頻度の高い対象物の外周長やその外周長を求めるためのデータを登録しておき、そのデータを呼び出して使用することで、シート物の作成作業を簡単に行うことができる。
【００２２】
請求項５の切断装置では、請求項１又は２と同様の効果を奏するが、予め用意されている対象物の他に新たな対象物に対するシート物を作成するための外周長を入力すると、対象物に巻回する巻回領域の必要な長さを確保することができるばかりでなく、新たな対象物の外周長のデータとして登録でき、これ以降の同じ対象物に対するシート物の作成作業を簡単に行うことができる。
【００２３】
請求項６の切断装置では、請求項１〜５の何れか１項と同様の効果を奏するが、貼着剤を使用して対象物に貼着しなくとも巻回領域部分を対象物の外周に複数回巻き付けて対象物の外周に強く装着することができるシート物を作成できる。
【００２４】
請求項７の切断装置では、請求項１〜６の何れか１項と同様の効果を奏するが、任意の印刷すべき文字などのデータを入力し、そのデータをシート材上に形成される巻回領域などの複数領域の少なくとも１つの領域内に印刷によって表記したシート物を作成することができる。
【００２５】
請求項８の切断装置では、請求項７と同様の効果を奏するが、貼着領域及び／又は非巻回領域に印刷するデータの長さに応じて、貼着領域及び／又は非巻回領域の所定方向の長さを決めて、印刷するデータがその領域に収まるようにしたシート物を作成することができる。
【００２６】
請求項９の切断装置では、請求項１〜８の何れか１項と同様の効果を奏するが、この印刷装置によって作成するシート物の対象物に装着するときの正しい使用方法に関する情報をシート物作成の際にユーザに案内することができる。
【００２７】
請求項１０の切断装置では、請求項７と同様の効果を奏するが、対象物に装着するときの正しい使用方法に関する情報を表記したシート物を作成することができる。
【００２８】
請求項１１の切断装置では、請求項７と同様の効果を奏するが、対象物に装着されその対象物の配置方向に応じて縦横のいずれの方向に配置されても、文字列の印字内容をより見やすくすることができるシート物を作成することができる。
【発明を実施するための最良の形態】
【００２９】
以下、本発明の実施の形態について図面を参照して説明する。
【００３０】
本発明の実施の形態に係る切断装置、すなわちシート材の印刷機能及び切断機能を有する印刷装置（以下、単に印刷装置という）は、その印刷装置に装着されるシートカセット（テープカセット）に収容されて供給される、基材シート（基材テープ）と貼着層と剥離シート（剥離テープ）とが積層されてなるシート材（テープ材、あるいは印刷テープ）に対して、その切断機能によってシート材上に設定する領域に対応してシート材の剥離シートのみを切断し、あるいは切断機能による剥離シートの切断と共に印刷機能によってシート材上の設定領域に印刷を行うことにより、対象物の外周に装着して用いるシート物（ラベル）を作成するものである。
【００３１】
（第１実施形態）
図１は本発明の実施形態に係るテープ印刷機能及びテープ切断機能を有する印刷装置１の外観平面図、図２はその印刷装置１に装着されるシートカセット（テープカセット）２１の外観斜視図及び印刷装置１の内部構造の一部を示す斜視図である。図に示すように、印刷装置１は、装置本体２の上面にキー入力部３、表示部４、および開閉蓋５を備えている。開閉蓋５の内側には印刷テープ３１及びインクリボン３５を収容したテープカセット２１を装着するためのカセット装着部６が形成されており、テープカセット２１は開閉蓋５を開放した状態でカセット装着部６に着脱可能に装着される。
【００３２】
キー入力部３は、印刷する文字列のデータを入力する文字キー、印刷開始を指示する印刷キー、表示部４の表示画面上のカーソルを移動操作するカーソルキー、入力された文字列の編集処理、各種設定処理、印刷処理等に必要な種々の制御キーを備えている。この制御キーには、貼着剤により対象物に貼着するラベルを作成する「貼着用ラベルモード」や対象物の外周に装着するラベルを作成する「装着用ラベルモード」などの印刷モードを設定する印刷モードキーの他、かな漢字の変換キー、各種の選択や処理を決定する実行キー、処理を取り消す取消キーなどが含まれている。
【００３３】
表示部４は液晶表示装置であり、入力されたデータや各種設定のための選択メニュー画面や処理に関するメッセージなどが表示されると共に、作成されるラベルの長さや印刷テープの種類や印刷モードの状態などの各種の情報を表示する。
【００３４】
カセット装着部６内には、縦方向に配列された発熱素子を有するサーマルヘッド７と、サーマルヘッド７と対峙するプラテンローラ８と、テープカセット２１内にインクリボン３５を巻き取るリボン巻取軸９と、テープカセット２１を所定の位置に支持するためのカセット受け部１０やテープカセット２１に嵌合して位置決めする嵌合軸１１を備えている。また、カートリッジ収納部６の底面の下部には、プラテンローラ８及びリボン巻取り軸９を回転するためのシート搬送機構が設けられている。
【００３５】
また、装置本体１には、カセット装着部６から装置本体１外に通じるシート排出口１２が形成されており、このシート排出口１２には、後述する積層構造の印刷テープ３１（図６参照）の全層を切除（フルカット）するためのカッタ１３が設けられ、さらにその下流側に印刷テープ３１の一部の層のみを切断（ハーフカット）するためのカッタ１４が設けられている。カッタ１３は固定刃１３ａと可動刃１３ｂとで構成され、またカッタ１４はハーフカッタ刃１４ａと受け台１４ｂとで構成されている。これらのカッタ機構は、例えば、特開２００１−２７７１８４に開示される印刷装置と同様に構成される。カッタ１３は、定位置にある固定刃１３ａに対して可動刃１３ｂが回動して両刃の間で印刷テープ３１の全層を切断し、また、カッタ１４は、印刷テープ３１の剥離シート（剥離テープ）３４側で定位置にあるハーフカッタ刃１４ａに対して受け台１４ｂを回動させ、受け台１４ｂをハーフカッタ刃１４ａに押圧して印刷テープ３１の剥離テープ３４のみを切断するものである。このため、ハーフカッタ刃１４ａの刃先が印刷テープ３１の基材シート（基材テープ）３２及び貼着層３３の厚さ分のクリアランスをもって受け台１４ｂに当接することで、剥離テープ３４のみを切断できるようにしている。また、装置本体２の内部には、カッタ１３、１４を動作させるための切断機構が設けられている。
【００３６】
また、前記カセット受け部１０にはテープカセット２１に収容されるカセットの種別（印刷テープの種別）を検出するための複数個のカセット種別検出スイッチ１５が設けられている。また、サーマルヘッド７の近傍には印刷テープに設けられる指標（マーク）を検出するためのマーク検出センサ１６が設けられている。
【００３７】
一方、テープカセット２１は、図２の外観斜視図及び図３の内部構造を示す平面図に示すように、上ケース２２ａと下ケース２２ｂを組み合わせて構成したカセットケース２２を備え、このカセットケース２２の内部に、印刷テープ３１を巻回したシートコア２３、未使用のインクリボン３５を巻回したリボン供給コア２４、印刷に使用された使用済部分のインクリボン３５を巻き取るリボン巻取コア２５がそれぞれ収納されている。
【００３８】
シートコア２３は、カセットケース２２の下ケース２２ｂに一体に形成された起立軸２３ａに回転可能に嵌合され、リボン供給コア２４は下ケース２２ｂに一体に形成された起立軸２６に回転可能に嵌合され、またリボン巻取コア２５は上ケース２２ａと下ケース２２ｂとの間に回転可能に支持されている。
【００３９】
カセットケース２２には、カセット装着部６内にテープカセット２１を装着したときにサーマルヘッド７が配置される凹部２７が設けられ、この凹部２７に臨んで印刷テープ３１およびインクリボン３５がカセットケース２２外に繰出される繰出し口２８ａと、インクリボン３５がカセットケース２２内に引き戻されて回収される回収口２８ｂとが設けられる。
【００４０】
また、カセットケース２２の外側部の隅部には、カセット収容部６のカセット受け部１０に係合してそれに支持される位置合せ用の突起部２９が形成されており、その１つにはカセットケース２２内に収容した印刷テープ３１の種別に対応した所定の形状を有する識別部３０が形成されている。この識別部３０はカセット受け部１０に設けた複数個のカセット種別検出スイッチ１５を選択的に動作させるものであり、印刷装置１では、カセット種別検出スイッチ１５の情報によりカセット装着部６に装着されたテープカセット２１に収容されている印刷テープ３１の種別を判別することができる。
【００４１】
テープカセット２１に収容されている印刷テープ３１は、図６の印刷用シートの断面図に示すように、基材テープ３２と貼着層３３と剥離テープ３４とが積層されて構成されており、サーマルヘッド７によりインクリボン３５のインクが転写される印字層を表面に有して表面側が印刷面となる基材テープ３２の裏面側に貼着層３３が施され、その貼着面に剥離テープ３４が剥離可能に貼着されている。
【００４２】
この印刷装置１では、カセット装着部６にテープカセット２１を装着すると、テープカセット２１の位置合せ用の突起部２９がカセット装着部６のカセット受け部１０に係合すると共に、リボン巻取軸９及び嵌合軸１１がそれぞれテープカセット２１のリボン巻取コア２５及び起立軸２６の内側に嵌合し、テープカセット２１の凹部２７にサーマルヘッド７が配置される。そして、シート搬送機構が作動してサーマルヘッド７との間で印刷テープ３１及びインクリボン３５を挟持するプラテンローラ８が回転駆動され、サーマルヘッド７が発熱駆動されることによりテープカセット２１から繰出された印刷テープ３１に対してインクリボン３５を介して熱転写印刷が行われる。印刷された基材テープ３２の印刷面に印刷が行われた印刷テープ３１は下流側に向けて搬送され、シート排出口１２を通って装置外に排出される。一方、インクリボン３５はリボン巻取軸９によって回転するリボン巻取コア２５に巻き取られてカセットケース２２内に回収される。印刷が終了すると、印刷テープ３１の印刷済部分が切断される。また、印刷処理の過程でカッタ１４が作動することにより印刷テープ３１の剥離テープ３４のみが切断されてハーフカットが行われる。
【００４３】
図４は印刷装置１の電子回路のブロック図を示している。同図に示すように、この印刷装置１の電子回路には、ＣＰＵからなる制御部５０が備えられ、制御部５０は、キー入力部２からのキー操作信号に応じてＲＯＭ５１に予め記憶されているシステムプログラムを起動させ、ＲＡＭ５２をワークメモリとして回路各部の動作を制御するもので、この制御部５０には、前記キー入力部３、ＲＯＭ５１、ＲＡＭ５２が接続される他、サーマルヘッド７を印刷データに応じて発熱駆動する駆動回路５３、プラテンローラ８及びリボン巻取軸９を駆動するための搬送モータ５４の駆動回路５５、カッタ１３，１４を駆動するためのカッタモータ５６の駆動回路５７が接続され、また、入力された文字データなどを表示するための表示部４が接続される。また、制御部５０には、テープカセット２１の種別を検出するためのカセット種別検出スイッチ１５、印刷テープ３１に付されたマークを検出するマーク検出センサ１６も接続される。
【００４４】
前記ＲＯＭ５１内には、表示及び印字のための文字や記号のパターンデータを記憶するメモリが設けられ、また「装着用ラベル」を容易に作成するためのデータとして、そのラベルを装着する対象物の名称と、その対象物の外周の一回りの長さのデータが、複数種類の対象物について予め記憶される対象物の外周長データテーブル５１ａが設けられている。図５は対象物の外周長データテーブル５１ａの一例を示す図である。
【００４５】
また、前記ＲＡＭ５２には、キー入力された文字データを記憶する入力データメモリ、入力データについて設定される文字サイズ、文字間隔、余白の長さ等の書式データを記憶する書式データメモリ、入力されたデータが対応するパターンデータに展開されて記憶される印刷データメモリ、表示部４に表示されるパターンデータが記憶される表示データメモリの各領域が確保され、さらに、「装着用ラベルモード」においてユーザ選択された作成すべきラベルの種類「第１〜第４のラベル」（図８参照）が記憶される選択ラベル種類レジスタ５２ａ、ユーザ選択されたラベル領域長の設定方法（オート／マニュアル）が記憶される選択領域設定レジスタ５２ｂ、ユーザ選択された棒状対象物の種類（対象物名：Ａ〜Ｅ）が記憶される選択対象物レジスタ５２ｃ、この選択対象物の種類に応じた棒状対象物の外周長と前記ラベル領域長の設定方法に従い計算設定されたラベル領域の設定長さが記憶される領域長さ設定レジスタ５２ｄ、印刷テープ３１のプラテンローラ８による搬送量（搬送ステップ数）がカウントされるテープ搬送量カウンタ５２ｅなど、その他の処理に必要なデータを一時的に記憶するレジスタやカウンタが設けられる。
【００４６】
また、この印刷装置１では、前記ＲＯＭ５１の対象物外周長データテーブル５１ａに用意されていない対象物の「装着用ラベル」を繰り返し作成するときに便利なように、ユーザによって対象物の名称と、その対象物の外周長のデータを対応して登録するべくＲＡＭ５２内に外周長データの登録領域（対象物外周長登録レジスタ５２ｆ）が確保されている。
【００４７】
そして、この印刷装置１では、所定の手順により対象物の名称とその対象物の外周長とを対応して前記登録領域である対象物外周長登録レジスタ５２ｆに登録する一方、その登録した対象物の名称を選択することにより外周長のデータを呼び出し出来るようにしている。
【００４８】
次に、印刷装置１の印刷動作について説明する。この印刷装置１では、剥離テープ３４を剥して基材テープ３２の貼着面を露出させ貼着層３３により対象物上に貼着する通常のラベルを作成する「貼着用ラベルモード」と、対象物に当接する部分には剥離テープ３４を残して対象物に対して貼着層３３を使わずにその外周に巻き付けて装着するラベルを作成する「装着用ラベルモード」とによりラベル作成が可能になっている。以下、本発明の特徴とする「装着用ラベルモード」の印刷モードによる印刷動作について説明する。
【００４９】
図７は、この「装着用ラベルモード」に係るラベル４０を示すものである。同図のように、ラベル４０は、シート長さ方向に沿って、巻回領域４０ａ、貼着領域４０ｂ及び非巻回領域４０ｃの３つの領域を備えている。「ＡＢＣ」の文字列は、非巻回領域４０ｃに印刷された文字列を示している。巻回領域４０ａのテープ長さ方向の長さａは、このラベルを装着しようとする対象物の外周の少なくとも一回りの長さであり、同じく貼着領域４０ｂの長さｂは、固定長あるいは任意の長さであり、非巻回領域４０ｃのテープ長さ方向の長さｃは、固定長、任意長あるいは印刷するデータの長さに応じて決められる。図７（ａ）、（ｂ）に図示のように、貼着領域４０ｂのテープ長さ方向の両側、すなわち巻回領域４０ａと貼着領域４０ｂの境界部分及び貼着領域４０ｂと非巻回領域４０ｃの境界部分には、テープ幅方向にカッタ１４によって剥離テープ３４のみが切断されるハーフカットＨＣ１、ＨＣ２が施される。図７（ｃ）は、このラベル４０を「装着用ラベル」として対象物に使用する場合の状態を示しており、図示のように、貼着領域４０ｂの剥離テープ３４を除去してその領域部分において基材テープ３２の裏面に貼着層３３を露出させるものである。このときに、巻回領域４０ａ及び非巻回領域４０ｃ部分では、剥離テープ３４を除去することなく基材テープ３２の裏面の貼着層３３を露出させずに剥離テープ３４で覆ったままにしておく。
【００５０】
しかして、図９は装着用ラベル４０を対象物１００の外周に装着した状態を示している。まず、図７（ｃ）のようにして準備した装着用ラベル４０の巻回領域４０ａの一端部を対象物１００の外周に当接させ、巻回領域４０ａを対象物１００の外周に周回させて巻き付け、巻回領域４０ａの一端部上に貼着領域４０ｂをその貼着層３３によって貼着する。この貼着領域４０ｂの端部に延在する非巻回領域４０ｃは巻回領域４０ａの外方に突出させておく。このように装着ラベルを対象物に装着することにより、対象物１００に対するラベル表示を行うことができる。この装着用ラベル４０では、対象物１００の外周に当接する巻回領域４０ａの貼着層３３が剥離テープ３４によって覆われて貼着層３３が対象物１００の外周に接触することがない。一方、ラベルが不要になれば、非巻回領域４０ｃを手指で摘んで貼着領域４０ｂを巻回領域４０ａ上から引き剥がすように力を加えてラベルの取り外しを行うことができる。
【００５１】
この印刷装置１では、前述のように、テープ印刷機能及びテープ切断機能を備え、それら両機能を用いて印刷テープへの印刷とテープ切断を行うことで印刷ラベルの作成ができる一方、テープ切断機能だけを用いて印刷のない無地のラベルを作成することができる。前記印刷ラベルは、そのまま対象物に装着し、また前記無地ラベルは対象物に装着すると共に、空白領域に適宜情報を書き込んだり、必要に応じて追加記入するなどして利用できる。
【００５２】
以下、図６に示す印刷テープ３１を用いて行う印刷装置１による上記「装着用ラベルモード」の印刷処理について、図１０のフローチャート及び関連図面に基づいて詳しく説明する。
【００５３】
キー入力部２の印刷モードキーにより「装着用ラベルモード」の処理が開始されると、まず、この「装着用ラベルモード」で作成すべきラベル４０の種類をユーザに選択させるための「ラベル種類選択メニュー」が表示部４に表示され、ラベルの種類の選択が行われる（ステップＡ１）。ここでは、第１ないし第４のラベルが選択可能である。第１のラベルは、図８（ａ）に図示のように、巻回領域４０ａにのみ任意の文字列「ＡＢＣ」を印刷するものであり、貼着領域４０ｂ及び非巻回領域４０ｃの各領域には印刷を行わない。第２のラベルは、図８（ｂ）に図示のように、非巻回領域４０ｃにのみ任意の文字列「ＡＢＣ」を印刷するものであり、巻回領域４０ａ及び貼着領域４０ｂには印刷を行わない。第３のラベルは、図８（ｃ）に図示のように、非巻回領域４０ｃから貼着領域４０ｂないし巻回領域４０ａの各領域に渡って任意の文字列「ＡＢＣＤＥＦＧ」を印刷するものである。第４のラベルは、印刷を行うことなく、印刷テープの切断のみを行うものである。
【００５４】
こうして、装着用として作成すべきラベルの種類が選択されてＲＡＭ５２内の選択ラベル種類レジスタ５２ａに記憶されると（ステップＡ１）、当該ラベルの領域長さの設定方法（オート／マニュアル）をユーザ選択させるための「領域設定方法選択メニュー」が表示部４に表示され、領域長さ設定方法の選択が行われる（ステップＡ２）。ここでは、３つの領域の長さに関して、それを個別に寸法数値を入力して設定するマニュアル設定を行うか、それに比べて入力操作を簡単にしたオート設定を行うかが選択され、選択された領域設定方法はＲＡＭ５２内の選択領域設定レジスタ５２ｂに記憶される。
【００５５】
ここで、ラベルの領域長さの設定方法がオート設定されたと判断された場合には、ＲＯＭ５１内の対象物外周長データテーブル５１ａにて予め記憶されている各種対象物の名称およびＲＡＭ５２内の対象物外周長登録レジスタ５２ｆに任意登録された対象物とその外周長のデータがある場合には当該任意対象物の名称も加えた「対象物選択メニュー」が表示部４に表示され、対象物の選択が行われてＲＡＭ５２内の選択対象物レジスタ５２ｃに記憶される（ステップＡ３→Ａ４）。
【００５６】
また、対象物の外周への巻回数を１巻き、１．５巻き、２巻き、２．５巻きなどの中からユーザに選択入力させるための「巻回数選択メニュー」が表示され、その選択肢の中からユーザ任意の巻回数が選択されて設定される（ステップＡ４ａ）。
【００５７】
そして、選択対象物レジスタ５２ｃに選択記憶された対象物に応じて、前記対象物外周長データテーブル５１ａあるいは対象物外周長登録レジスタ５２ｆに記憶されている該当対象物の外周長データ及び前記ステップＡ４ａにて選択入力された当該対象物に対するラベル巻回数から、作成すべきラベル４０の巻回領域４０ａの長さ及びこの巻回領域４０ａに応じて固定長となる貼着領域４０ｂの長さが自動設定される（ステップＡ５）。なお、巻回領域４０ａの長さの設定では、対象物外周長データテーブル５１ａのデータに基づいて対象物の外周長とほぼ等しい長さを設定してもいいが、それよりも余裕をもった長さを設定してもよい。あるいは、対象物外周長データテーブル５１ａに予め記憶するデータを、実際の外周長より適当に余裕をもった長さにしておいてもよい。
【００５８】
次に、前記ステップＡ１にて選択されて選択ラベル種類レジスタ５２ａに記憶された作成すべきラベル４０の種類に従い、それが印刷を行わない第４のラベルであるか否かが判断される（ステップＡ６）。
【００５９】
ここで、選択されたラベル４０の種類は第４のラベルではなく、第１〜第３の何れかのラベル４０であると判断された場合には、印刷データの入力画面が表示される（ステップＡ６→Ａ７）。そして、キー入力部３の文字入力キーのユーザ操作に応じて印刷すべきユーザ所望のキャラクタ（文字列）が入力されると、この入力キャラクタデータはＲＡＭ５２内の入力データメモリに記憶される（ステップＡ７）。
【００６０】
こうして、作成すべきラベル４０に対し印刷すべきキャラクタデータが入力されると、「印刷開始？」のメッセージが表示され、キー入力部３の「実行」キーがユーザ操作されることで印刷開始と判断されると、前記ＲＡＭ５２内の入力データメモリに記憶された入力キャラクタデータが印刷パターンデータとして展開生成されて同ＲＡＭ５２内の印刷データメモリに記憶される（ステップＡ８→Ａ９）。
【００６１】
そして、前記ステップＡ１にて選択されて選択ラベル種類レジスタ５２ａに記憶された作成すべきラベル４０の種類が、第１〜第３の何れのラベル（図８（ａ）〜（ｃ）参照）であるか判断され（ステップＡ１０）、第１のラベルであると判断された場合には、作成すべきラベル４０の印刷を施さない非巻回領域４０ｃの長さが所定長に設定され、前記ステップＡ５において自動設定された巻回領域４０ａ及び貼着領域４０ｂの長さと共に、ＲＡＭ５２内の領域長さ設定レジスタ５２ｄに記憶される（ステップＡ１１ａ）。
【００６２】
すると、カセット装着部６に装着されたテープカセット２１に収容されている印刷テープ３１及びインクリボン３５が、搬送モータ５４によるプラテンローラ８およびリボン巻取軸９の回転駆動に応じて搬送開始されるのに伴い、当該印刷テープ３１の搬送量が、例えば搬送モータ５４によるモータ駆動ステップ数としてＲＡＭ５２内のテープ搬送量カウンタ５２ｅにてカウントされて、カッタ１３，１４ならびにサーマルヘッド７に対する印刷テープ３１の移動位置が管理される。そして、前記印刷データメモリに記憶された印刷パターンデータに従いサーマルヘッド７が発熱駆動され、巻回領域４０ａに対する印刷出力が行われると共に、当該巻回領域４０ａと貼着領域４０ｂとの境界そして該貼着領域４０ｂと非巻回領域４０ｃとの境界に対する各ハーフカットＨＣ１，ＨＣ２の処理がテープ搬送の一時停止に応じたカッタ１４の駆動によって行われる（ステップＡ１２ａ）。
【００６３】
そして、前記印刷テープ３１に対する印刷パターンデータの印刷出力が終了し、さらにテープ搬送量カウンタ５２ｅにてカウントされる印刷テープ３１の搬送量が、前記領域長さ設定レジスタ５２ｄに設定記憶された作成すべきラベル４０の全領域長さに対応する搬送量の位置、つまり印刷テープ３１の切断位置まで到達したと判断されると、搬送モータ５４の駆動が停止されて当該印刷テープ３１の搬送が停止される。そして、カッタモータ５６によりカッタ１３が駆動されて印刷テープ３１がフルカットＦＣされ、自動設定された領域長さの装着用ラベル４０として切断分離される（ステップＡ１３）。
【００６４】
こうして、印刷テープ３１がフルカットされて装着用ラベル４０が作成されると、図１１に示すように、表示部４に対して対象物１００への巻回領域４０ａ及び非巻回領域４０ｃに対応するところの剥離テープ３４をユーザが誤って剥がさないように喚起するための注意表示画面Ｇが表示部４に表示される（ステップＡ１４）。
【００６５】
なお、このような表示部４に対する注意表示画面Ｇだけでなく、例えば図１２に示すように、巻回領域４０ａ及び非巻回領域４０ｃに対応するところの基材テープ３２面に「剥離禁止」などの注意喚起のための文字列４６を印刷するものとし、この注意喚起文字列４６は前記各領域４０ａ，４０ｂ，４０ｃに対するラベル表記用の文字列４５と共に印刷するようにしてもよい。
【００６６】
これにより、ユーザ所望の印刷データが巻回領域４０ａにのみ印刷されてなる、ユーザ所望の選択対象物１００に巻回して装着可能な装着用ラベル４０が作成される。
【００６７】
一方、前記ステップＡ１０において、選択ラベル種類レジスタ５２ａに記憶されている作成すべきラベル４０の種類が、第２のラベル（図８（ｂ）参照）であると判断された場合には、作成すべきラベル４０の非巻回領域４０ｃの長さが前記印刷データメモリに記憶された印刷パターンデータに従い算出された印刷長に基づき設定され、前記ステップＡ５において自動設定された巻回領域４０ａ及び貼着領域４０ｂの長さと共に、ＲＡＭ５２内の領域長さ設定レジスタ５２ｄに記憶される（ステップＡ１１ｂ）。
【００６８】
すると、前記同様に、テープカセット２１に収容されている印刷テープ３１及びインクリボン３５が搬送開始され、巻回領域４０ａと貼着領域４０ｂとの境界そして該貼着領域４０ｂと非巻回領域４０ｃとの境界に対する各ハーフカットＨＣ１，ＨＣ２の処理がテープ搬送の一時停止に応じたカッタ１４の駆動によって行われると共に、前記印刷データメモリに記憶された印刷パターンデータに従いサーマルヘッド７が発熱駆動され、非巻回領域４０ｃに対する印刷出力が行われる（ステップＡ１２ｂ）。
【００６９】
そして、印刷テープ３１のフルカットＦＣの処理による装着用ラベル４０としての切断分離処理（ステップＡ１３）、および剥離テープ３４を誤って剥がさないようにするための注意表示画面Ｇの表示処理が実行され（ステップＡ１４）、ユーザ所望の印刷データが非巻回領域４０ｃに印刷されてなる、ユーザ所望の選択対象物１００に巻回して装着可能な装着用ラベル４０が作成される（図９参照）。
【００７０】
また、前記ステップＡ１０において、選択ラベル種類レジスタ５２ａに記憶されている作成すべきラベル４０の種類が、第３のラベル（図８（ｃ）参照）であると判断された場合には、前記第２のラベルの場合と同様に、作成すべきラベル４０の非巻回領域４０ｃの長さが前記印刷データメモリに記憶された印刷パターンデータに従い算出された印刷長に基づき設定され、前記ステップＡ５において自動設定された巻回領域４０ａ及び貼着領域４０ｂの長さと共に、ＲＡＭ５２内の領域長さ設定レジスタ５２ｄに記憶される（ステップＡ１１ｃ）。
【００７１】
すると、前記同様に、テープカセット２１に収容されている印刷テープ３１及びインクリボン３５が搬送されるのに応じて、前記印刷データメモリに記憶された印刷パターンデータに従いサーマルヘッド７が発熱駆動され、巻回領域４０ａから貼着領域４０ｂそして非巻回領域４０ｃに渡って印刷出力が行われると共に、巻回領域４０ａと貼着領域４０ｂとの境界そして該貼着領域４０ｂと非巻回領域４０ｃとの境界に対する各ハーフカットＨＣ１，ＨＣ２の処理がテープ搬送の一時停止に応じたカッタ１４の駆動によって行われる（ステップＡ１２ｃ）。
【００７２】
そして、印刷テープ３１のフルカットＦＣの処理による装着用ラベル４０としての切断分離処理（ステップＡ１３）、および剥離テープ３４を誤って剥がさないようにするための注意表示画面Ｇの表示処理が前記同様に実行され（ステップＡ１４）、ユーザ所望の印刷データが巻回領域４０ａから非巻回領域４０ｃに渡り印刷されてなる、ユーザ所望の選択対象物１００に巻回して装着可能な装着用ラベル４０が作成される。
【００７３】
一方、前記ステップＡ６において、選択ラベル種類レジスタ５２ａに記憶された作成すべきラベル４０の種類に従い、それが印刷を行わない第４のラベルであると判断された場合には、作成すべきラベル４０の非巻回領域４０ｃの長さが所定長に設定され、前記ステップＡ５において自動設定された巻回領域４０ａ及び貼着領域４０ｂの長さと共に、ＲＡＭ５２内の領域長さ設定レジスタ５２ｄに記憶される（ステップＡ６→Ａ１５）。
【００７４】
すると、前記同様に、テープカセット２１に収容されている印刷テープ３１及びインクリボン３５が搬送されると共に、巻回領域４０ａと貼着領域４０ｂとの境界そして該巻回領域４０ｂと第２の重合領域４０ｃとの境界に対する各ハーフカットＨＣ１，ＨＣ２の処理がテープ搬送の一時停止に応じたカッタ１４の駆動によって順次行われる（ステップＡ１６）。
【００７５】
そして、印刷テープ３１のフルカットＦＣの処理による装着用ラベル４０としての切断分離処理（ステップＡ１３）、および剥離テープ３４を誤って剥がさないようにするための注意表示画面Ｇの表示処理（ステップＡ１４）が前記同様に実行され、印刷無しで例えばユーザが自筆で所望の情報を記述してなる、ユーザ所望の選択対象物１００に巻回して装着可能な装着用ラベル４０が作成される。
【００７６】
一方、前記ステップＡ３において、ラベルの領域長さの設定方法が対象物の外周長を計測するなどしてマニュアル設定されたと判断された場合には、作成すべき装着ラベル４０の巻回領域４０ａ、貼着領域４０ｂ、非巻回領域４０ｃそれぞれの領域サイズを任意入力するための「領域サイズ入力画面」が表示部４に表示され、ユーザ入力によって各領域４０ａ，４０ｂ，４０ｃの長さがマニュアル設定される（ステップＡ３→Ａ１７）。
【００７７】
この際、ユーザ入力された作成すべき装着用ラベルの巻回領域４０ａのサイズは、新たな対象物の外周長の長さとしてＲＡＭ５２内の対象物外周長登録レジスタ５２ｆに新たな対象物名称と対応付けられて登録され、これ以降に同じ対象物に対して装着用ラベルを作成するときのための作業性の向上が図られる。
【００７８】
すると、前記ステップＡ１にて選択されて選択ラベル種類レジスタ５２ａに記憶された作成すべきラベル４０の種類に従い、それが印刷を行わない第４のラベルではなく、第１〜第３の何れかのラベル４０であると判断された場合には、印刷データの入力画面が表示される（ステップＡ１８→Ａ１９）。そして、キー入力部３の文字入力キーのユーザ操作に応じて印刷すべきユーザ所望のキャラクタ（文字列）が入力されると、この入力キャラクタデータはＲＡＭ５２内の入力データメモリに記憶される（ステップＡ１９）。
【００７９】
すると、「印刷開始？」のメッセージが表示され、キー入力部３の「実行」キーがユーザ操作されることで印刷開始と判断されると、前記ＲＡＭ５２内の入力データメモリに記憶された入力キャラクタデータが印刷パターンデータとして展開生成されて同ＲＡＭ５２内の印刷データメモリに記憶される（ステップＡ２０→Ａ２１）。
【００８０】
そして、前記ステップＡ１にて選択されて選択ラベル種類レジスタ５２ａに記憶された作成すべきラベル４０の種類が、第１〜第３の何れのラベル（図８（ａ）〜（ｃ）参照）であるか判断される（ステップＡ２２）。第１のラベルであると判断された場合には、前記ステップＡ１７においてマニュアル設定された各領域サイズに対応させて、印刷テープ３１及びインクリボン３５が搬送されるのに伴い前記印刷データメモリに記憶された印刷パターンデータに従いサーマルヘッド７が発熱駆動され、巻回領域４０ａに対する印刷出力が行われると共に、当該巻回領域４０ａと貼着領域４０ｂとの境界そして該貼着領域４０ｂと非巻回領域４０ｃとの境界に対する各ハーフカットＨＣ１，ＨＣ２の処理がテープ搬送の一時停止に応じたカッタ１４の駆動によって行われる（ステップＡ２２→Ａ１２ａ）。
【００８１】
そして、印刷テープ３１のフルカットＦＣの処理による装着用ラベル４０としての切断分離処理（ステップＡ１３）、および剥離テープ３４を誤って剥がさないようにするための注意表示画面Ｇの表示処理（ステップＡ１４）が実行され、ユーザ所望の印刷データが巻回領域４０ａのみに印刷されてなる、ユーザ所望の選択対象物１００に巻回して装着可能な任意長さの装着用ラベル４０が作成される。
【００８２】
また、前記ステップＡ２２において、選択ラベル種類レジスタ５２ａに記憶された作成すべきラベル４０の種類が、第２のラベルであると判断された場合には、前記ステップＡ１７においてマニュアル設定された各領域サイズに対応させて、印刷テープ３１及びインクリボン３５が搬送開始され、巻回領域４０ａと貼着領域４０ｂとの境界そして該貼着領域４０ｂと非巻回領域４０ｃとの境界に対する各ハーフカットＨＣ１，ＨＣ２の処理がテープ搬送の一時停止に応じたカッタ１４の駆動によって行われると共に、前記印刷データメモリに記憶された印刷パターンデータに従いサーマルヘッド７が発熱駆動され、非巻回領域４０ｃに対する印刷出力が行われる（ステップＡ２２→Ａ１２ｂ）。
【００８３】
そして、印刷テープ３１のフルカットＦＣの処理による装着用ラベル４０としての切断分離処理（ステップＡ１３）、および剥離テープ３４を誤って剥がさないようにするための注意表示画面Ｇの表示処理（ステップＡ１４）が実行され、ユーザ所望の印刷データが非巻回領域４０ｃにのみ印刷されてなる、ユーザ所望の選択対象物１００に巻回して装着可能な任意長さの装着用ラベル４０が作成される（図９参照）。
【００８４】
さらにまた、前記ステップＡ２２において、選択ラベル種類レジスタ５２ａに記憶された作成すべきラベル４０の種類が、第３のラベルであると判断された場合には、前記ステップＡ１７においてマニュアル設定された各領域サイズに対応させて、印刷テープ３１及びインクリボン３５が搬送されるのに応じ、前記印刷データメモリに記憶された印刷パターンデータに従いサーマルヘッド７が発熱駆動され、巻回領域４０ａから貼着領域４０ｂそして非巻回領域４０ｃに渡って印刷出力が行われると共に、巻回領域４０ａと貼着領域４０ｂとの境界そして該貼着領域４０ｂと非巻回領域４０ｃとの境界に対する各ハーフカットＨＣ１，ＨＣ２の処理がテープ搬送の一時停止に応じたカッタ１４の駆動によって行われる（ステップＡ２２→Ａ１２ｃ）。
【００８５】
そして、印刷テープ３１のフルカットＦＣの処理による装着用ラベル４０としての切断分離処理（ステップＡ１３）、および剥離テープ３４を誤って剥がさないようにするための注意表示画面Ｇの表示処理（ステップＡ１４）が前記同様に実行され、ユーザ所望の印刷データが巻回領域４０ａから非巻回領域４０ｃに渡って印刷されてなる、ユーザ所望の選択対象物１００に巻回して装着可能な任意長さの装着用ラベル４０が作成される。
【００８６】
一方、前記ステップＡ１８において、選択ラベル種類レジスタ５２ａに記憶された作成すべきラベル４０の種類に従い、それが印刷を行わない第４のラベルであると判断された場合には、前記ステップＡ１７においてマニュアル設定された各領域サイズに対応させて、印刷テープ３１及びインクリボン３５が搬送されると共に、巻回領域４０ａと貼着領域４０ｂとの境界そして該巻回領域４０ｂと第２の重合領域４０ｃとの境界に対する各ハーフカットＨＣ１，ＨＣ２の処理がテープ搬送の一時停止に応じたカッタ１４の駆動によって順次行われる（ステップＡ１６）。
【００８７】
そして、印刷テープ３１のフルカットＦＣの処理による装着用ラベル４０としての切断分離処理（ステップＡ１３）、および剥離テープ３４を誤って剥がさないようにするための注意表示画面Ｇの表示処理（ステップＡ１４）が前記同様に実行され、印刷無しで例えばユーザが自筆で所望の情報を記述してなる、ユーザ所望の選択対象物１００に巻回して装着可能な装着用ラベル４０が作成される。
【００８８】
なお、カッタ１３，１４に手動切断機構を採用している場合のステップＡ１２ａ，Ａ１２ｂ，Ａ１２ｃ，Ａ１６でのハーフカット処理やステップＡ１３でのフルカット処理は、ユーザに対してカッタ１３またはカッタ１４の手動操作を促すメッセージを表示部４に表示するようにする。
【００８９】
図１３は印刷装置１によって作成するラベルの他の例を示している。このラベル４０Ａは、例えば非巻回領域４０ｃに対する文字列「ＡＢＣ」の印刷に際して、当該文字列「ＡＢＣ」をその所定方向及びその所定方向と直交方向に印刷する。こうすることで、対象物１００に巻回装着したラベル４０Ａが縦横のいずれに配置されている場合であっても、印刷した文字をより見やすくすることができる。なお、この印刷処理は、図１０のステップＳ９の印刷データ生成処理において、入力された文字列の印刷パターンデータを印刷テープの長さ方向に沿って出力するべく展開する一方、その入力された同じ文字列の印刷パターンデータを印刷テープの幅方向に沿ってテープ幅内に出力するべく反時計方向に９０°回転させて展開する。
【００９０】
なお、前記第１実施形態では、３つの領域４０ａ，４０ｂ，４０ｃの長さが、ユーザの設定などによって作成するラベルに応じて自在に変更可能であるが、対象物１００の種類が限られている場合には、次の第２実施形態において説明するように、予め３つの領域４０ａ，４０ｂ，４０ｃの長さを決めておいてもよい。
【００９１】
（第２実施形態）
図１４の印刷テープ３１ａは、第１の実施形態で使用した印刷テープと同様に、基材テープ３２と貼着層３３と剥離テープ３４とが積層されて構成されており、表面に印刷が行われる印刷面を有する基材テープ３２の裏面側に貼着層３３が施され、その貼着面に剥離テープ３４が剥離可能に貼着されている。この印刷テープ３１ａの剥離テープ３４には、長さ方向に沿って所定ピッチで位置情報検出用のマーク（指標）４１が設けられ、そのマーク４１に対応して全幅を切断する２つのハーフカットの切断箇所ＨＣ１、ＨＣ２が長さ方向に沿って所定ピッチで予め形成されている。また、符号ＦＣは、印刷装置１によって印刷テープ３１ｂが切除されるフルカット位置を示しており、マーク４１を基準にしてフルカット位置ＦＣで印刷テープ３１ａが切除されることにより、ハーフカットＨＣ１、ＨＣ２によって区画された巻回領域４０ａ、貼着領域４０ｂ及び非巻回領域４０ｃを備え、それぞれの領域の長さが決められた１枚のラベルが取り出される。前記マーク４１は基材テープ３２側に設けてもよい。
【００９２】
なお、この印刷テープ３１ａは、対象物の種類に対応して前記各領域の長さの異なるものが用意されており、その印刷テープ３１ａの識別をテープカセット２１に設けた識別部３０によって可能にしている。
【００９３】
図１５は、その長さ方向に連続して設定される各ラベル領域の非巻回領域４０ｃに予め所定の文字列などがプレ印刷されている印刷テープ３１ｇであり、印刷テープの構成は図１４と同一である。
【００９４】
図１６は、図１４または図１５の印刷テープ３１ａまたは３１ｇを収容したテープカセット２１を印刷装置１に装着してラベル４０を作成する場合のフローチャートである。図１４の印刷テープ３１ａでは、印刷を行いフルカットして印刷した装着用ラベルを作成する場合と、印刷を行うことなくフルカットして無地の装着用ラベルを作成する場合があり、図１５のプレ印刷された印刷テープ３１ｇでは、フルカットのみを行ってプレ印刷の装着用ラベルを作成する。
【００９５】
キー入力部３の印刷モードキーにより「装着用ラベルモード」の処理が開始されると、まず、この「装着用ラベルモード」で作成すべきラベル４０の種類をユーザに選択させるための「ラベル種類選択メニュー」が表示部４に表示され、ラベルの種類の選択が行われる（ステップＢ１）。ここでは、前記第１実施形態同様に、第１ないし第４のラベル（図８参照）が選択可能である。
【００９６】
こうして、装着用として作成すべきラベルの種類が選択されてＲＡＭ５２内の選択ラベル種類レジスタ５２ａに記憶されると（ステップＢ１）、ＲＯＭ５１内の対象物外周長データテーブル５１ａにて予め記憶されている各種対象物の名称を一覧にした「対象物選択メニュー」が表示部４に表示され、対象物の選択が行われてＲＡＭ５２内の選択対象物レジスタ５２ｃに記憶される（ステップＢ２）。
【００９７】
すると、前記選択対象物の外周長に対応した長さの巻回領域４０ａを有する印刷テープ３１ａ又は３１ｇを収容したテープカセット２１の種別が判断されると共に、カセット種別検出スイッチ１５の動作信号によってカセット装着部６に装着されているテープカセット２１の種別が検出され、当該装着中のテープカセット２１が選択対象物に対応した巻回領域４０ａを有する印刷テープ３１ａ又は３１ｇのテープカセット２１であるか否かが判断される（ステップＢ３）。
【００９８】
ここで、前記ＲＯＭ５１に備える適合判断用のデータテーブルを参照することにより、カセット装着部６に装着されたテープカセット２１が選択対象物に対応したテープカセット２１ではないと判断された場合には、例えば「テープカセットエラー」の警告メッセージが表示部４に表示される（ステップＢ３→Ｂ４）。
【００９９】
一方、カセット装着部６に装着中のテープカセット２１が選択対象物に対応したテープカセット２１であると判断された場合には、選択ラベル種類レジスタ５２ａに記憶された作成すべきラベル４０の種類に従い、それが印刷を行わない第４のラベルであるか否か、またはプレ印刷テープ３１ｇによって印刷を要しないプレ印刷ラベルであるか否かが判断される（ステップＢ５）。
【０１００】
ここで、選択されたラベル４０の種類は第４のラベルやプレ印刷ラベルではなく、第１〜第３の何れかのラベル４０であると判断された場合には、印刷データの入力画面が表示される（ステップＢ５→Ｂ６）。そして、キー入力部３の文字入力キーのユーザ操作に応じて印刷すべきユーザ所望のキャラクタ（文字列）が入力されると、この入力キャラクタデータはＲＡＭ５２内の入力データメモリに記憶される（ステップＢ６）。
【０１０１】
こうして、作成すべきラベル４０に対し印刷すべきキャラクタデータが入力されると、「印刷開始？」のメッセージが表示され、キー入力部３の「実行」キーがユーザ操作されることで印刷開始と判断されると、前記ＲＡＭ５２内の入力データメモリに記憶された入力キャラクタデータが印刷パターンデータとして展開生成されて同ＲＡＭ５２内の印刷データメモリに記憶される（ステップＢ７→Ｂ８）。
【０１０２】
すると、カセット装着部６に装着されたテープカセット２１に収容されている印刷テープ３１ａが、搬送モータ５４によるプラテンローラ８の回転駆動に応じて搬送されると共に、この搬送開始された印刷テープ３１ａの剥離テープ３４上に設けられたマーク４１が、マーク検出センサ１６によって検出された否か判断される（ステップＢ９，Ｂ１０）。
【０１０３】
この際、印刷テープ３１ａの搬送量は、例えば搬送モータ５４によるモータ駆動ステップ数としてＲＡＭ５２内のテープ搬送量カウンタ５２ｅにてカウントされ、マーク４１の検出時以降のテープ搬送過程において、サーマルヘッド７に対する印刷テープ３１ａの移動位置は、当該印刷テープ３１ａの各領域４０ａ，４０ｂ，４０ｃの規定の長さに応じて管理される。
【０１０４】
そして、前記搬送されている印刷テープ３１ａのマーク４１がマーク検出センサ１６によって検出されたと判断されると、選択ラベル種類レジスタ５２ａに記憶された作成すべきラベル４０の種類が、第１〜第３の何れのラベル（図８（ａ）〜（ｃ）参照）であるか判断される（ステップＢ１１）。そして、第１のラベルであると判断された場合には、印刷テープ３１ａにおける巻回領域４０ａがサーマルヘッド７の印字位置に移動されたタイミングにおいて、前記印刷データメモリに記憶された印刷パターンデータに従いサーマルヘッド７が発熱駆動され、その巻回領域４０ａに対する印刷出力が行われる（ステップＢ１１→Ｂ１２ａ）。
【０１０５】
この後、前記印刷テープ３１ａのマーク４１検出時点からのフルカット位置ＦＣがカッタ１３の位置に移動される規定のテープ搬送量のカウント時に対応して、印刷テープ３１ａのフルカットＦＣの処理による装着用ラベル４０としての切断分離処理（ステップＢ１３）が実行され、選択対象物に応じた規定長さの第１の種類の装着用ラベル４０が作成される。
【０１０６】
また、前記ステップＢ１１において、選択ラベル種類レジスタ５２ａに記憶された作成すべきラベル４０の種類が、第２のラベルであると判断された場合には、印刷テープ３１ａにおける非巻回領域４０ｃがサーマルヘッド７の印字位置に移動されたタイミングのそれぞれにおいて、前記印刷データメモリに記憶された印刷パターンデータに従いサーマルヘッド７が発熱駆動され、その非巻回領域４０ｃに対する印刷出力が行われる（ステップＢ１１→Ｂ１２ｂ）。
【０１０７】
この後、前記印刷テープ３１ａのマーク４１検出時点からのフルカット位置ＦＣがカッタ１３の位置に移動される規定のテープ搬送量のカウント時に対応して、印刷テープ３１ａのフルカットＦＣの処理による装着用ラベル４０としての切断分離処理（ステップＢ１３）が実行され、選択対象物に応じた規定長さの第２の種類の装着用ラベル４０が作成される。
【０１０８】
また、前記ステップＢ１１において、選択ラベル種類レジスタ５２ａに記憶された作成すべきラベル４０の種類が、第３のラベルであると判断された場合には、印刷テープ３１ａにおける巻回領域４０ａから非巻回領域４０ｃに渡る各領域がサーマルヘッド７の印字位置に移動されたタイミングにおいて、前記印刷データメモリに記憶された印刷パターンデータに従いサーマルヘッド７が発熱駆動され、その巻回領域４０ａから非巻回領域４０ｃに渡った印刷出力が行われる（ステップＢ１１→Ｂ１２ｃ）。
【０１０９】
この後、前記印刷テープ３１ａのマーク４１検出時点からのフルカット位置ＦＣがカッタ１３の位置に移動される規定のテープ搬送量のカウント時に対応して、印刷テープ３１ａのフルカットＦＣの処理による装着用ラベル４０としての切断分離処理（ステップＢ１３）が実行され、選択対象物に応じた規定長さの第３の種類の装着用ラベル４０が作成される。
【０１１０】
一方、前記ステップＢ５において、選択ラベル種類レジスタ５２ａに記憶された作成すべきラベル４０の種類に従い、それが印刷を行わない第４のラベルであるか、またはプレ印刷テープ３１ｇによって印刷を要しないプレ印刷ラベルであると判断された場合には、カセット装着部６に装着されたテープカセット２１に収容されている印刷テープ３１ａまたは３１ｇが、搬送モータ５４によるプラテンローラ８の回転駆動に応じて搬送されると共に、この搬送開始された印刷テープ３１ａまたは３１ｇの剥離テープ３４面に設けられたマーク４１が、マーク検出センサ１６によって検出された否か判断される（ステップＢ５→Ｂ１４，Ｂ１５）。
【０１１１】
そして、前記搬送開始された印刷テープ３１ａ（３１ｇ）のマーク４１がマーク検出センサ１６によって検出されたと判断されると、さらに印刷テープ３１ｂ（３１ｈ）の搬送動作が継続される（ステップＢ１５→Ｂ１６）。そして、テープ搬送量カウンタ５２ｄにてカウントされる印刷テープ３１ａ（３１ｇ）の搬送量が、当該印刷テープ３１ａ（３１ｇ）のマーク４１が検出されてから所定の搬送量である切断位置まで到達すると、搬送モータ５４の駆動が停止されて該印刷テープ３１ａ（３１ｇ）の搬送が停止され、カッタモータ５６によりカッタ１３が駆動されて印刷テープ３１ａ（３１ｇ）が選択対象物に対応させた規定長のラベルとして切断分離される（ステップＢ１３）。
【０１１２】
これにより、図１４に示す印刷テープ３１ａに基づき、印刷なしで、例えばユーザ自身で所望の手書き文字列を表記するなどして選択対象物に装着可能な規定長の第４（無地）の装着用ラベルが作成されるか、または図１５に示すプレ印刷された印刷テープ３１ｇに基づき、ユーザ所望のプレ印刷データが印刷された、選択対象物に装着可能な規定長のプレ印刷装着用ラベルが作成される。
【０１１３】
なお、図１４、図１５で示した印刷テープ３１ａ、３１ｇは、カセットケース２２に収容しテープカセット２１として印刷装置１に装着して使用するが、カセットケース２２に収容することなく、ロール状に巻回した状態で印刷装置１に装着するようにしてもよい。
【０１１４】
また、図１７に示すように、図１４に図示の印刷テープ３１ａの巻回領域４０ａ及び非巻回領域４０ｃの剥離テープ３４を残し、貼着領域４０ｂに対応する剥離テープ３４を予め除去した印刷テープ３１ｂを使用してもよい。その場合には、貼着層３３が露出することになるため、これに当接してシートの搬送を行うプラテンローラ８の表面にシリコンゴムを設けておき貼着層３３のローラ表面への付着を防止するようにする。また、印刷装置１及びテープカセット２１における貼着層３３が接触するテープ搬送経路にも、貼着層３３の貼着しないシリコンゴムなどの非接着材料を用いる。また、フルカット位置や印刷開始位置の位置合せの基準になるマーク４１は基材テープ３２側に設ける。
【０１１５】
図１７の印刷テープ３１ｂは、図１６のフローチャートと同様の処理により装着用ラベルを作成することができる。
【０１１６】
（第３実施形態）
先の第１実施形態及び第２実施形態ではその何れの実施形態でも、印刷テープの長さ方向に順次ラベル領域を設定しラベルを切り出すものであったが、次の図１８に示すような第３実施形態の印刷テープ３１ｃは、テープ長さ方向に沿って所定ピッチでマーク（指標）４１を剥離テープ３４側に設けると共に、この各マーク４１毎にテープ長さ方向と直交する幅方向に装着用ラベルの領域を設定するものである。このため、テープ長さ方向と平行に巻回領域４０ａ、貼着領域４０ｂ及び非巻回領域４０ｃに対応する領域を確保し、その貼着領域４０ｂの巻回領域４０ａと非巻回領域４０ｃとの境界部分で剥離テープ３４に予めハーフカット処理ＨＣ１，ＨＣ２を行ったものである。図示のように、位置情報検出用のマーク４１を基準にして所定距離だけテープ送りして、テープ幅方向に印刷テープ３１ｃをフルカットＦＣすることにより、装着用ラベル４０を切り出すことができる。この場合、印刷テープ３１ｃの各ラベル領域毎の剥離テープ３４上に位置検出マーク４１を設けることで前記第２実施形態における各印刷テープ３１ａ，３１ｂでの印刷位置制御や切断位置制御と同様にその印刷位置やテープ切断位置を容易に管理設定することができる。なお、ラベルの切り出しだけでなく、ラベル領域内には、例えば、そのテープ幅方向に文字列を配して印刷も行う。また、マーク４１は必ずしも設けなくともよく、テープ長さ方向の送り長さを所定の長さに設定し、あるいはテープ幅方向又はテープ長さ方向に配して印刷するデータ量に応じてフルカット位置ＦＣを決めるようにしてもよい。
【０１１７】
図１９の印刷テープ３１ｄは前記第２実施形態における図１７の場合と同様にして、図１８の印刷テープ３１ｃの貼着層３３を巻回領域４０ａ及び非巻回領域４０ｃの裏面側で露出させたものである。これらの図１８及び図１９で示した印刷テープ３１ｃ，３１ｄでは、各領域の長さが予め決められているため、その長さに対応した所定の対象物に専用に用いられることになる。
【０１１８】
図２０は更に他の実施例の印刷テープ３１ｅを示している。この印刷テープ３１ｅは、剥離テープ３４をなくすることで構造を簡単にしたものであり、テープ長さ方向に沿って基材テープ３２の印刷面の裏面側に所定ピッチでマーク４１を設けると共に、マーク４１に対応してテープ長さ方向に所定の長さを有する貼着層領域を所定ピッチで設けたものである。この印刷テープ３１ｅは、前述の例と同様にして、マーク４１を基準にして印刷面側に適宜印刷が行われ、フルカット位置ＦＣでフルカットされる。この印刷テープ３１ｅの前記貼着層領域は、基材テープ３２の印刷面の裏面に貼着層３３を予め塗布したものであり、前記貼着領域４０ｂに相当する領域である。また、貼着層３３が形成されない領域が前記巻回領域４０ａ及び前記非巻回領域４０ｃに相当する領域になる。また、位置検出用のマーク４１は基材テープ３２の印刷面に設けてもよい。
【０１１９】
図２１は更に他の実施例の印刷テープ３１ｆを示している。この印刷テープ３１ｆも剥離テープ３４をなくすることで構造を簡単にしたものであり、基材テープ３２の印刷面の裏面に貼着領域４０ｂに対応して貼着層３３を予め塗布したものである。この印刷テープ３１ｆにもテープ長さ方向（図２１の横方向）に沿って所定ピッチで位置情報検出用のマーク４１が設けられる。ＦＣはフルカット位置を示す。なお、マーク４１は必ずしも設けなくともよく、テープ長さ方向の送り長さを所定の長さに設定し、あるいはテープ幅方向又はテープ長さ方向に配して印刷するデータ量に応じてフルカット位置ＦＣを決めるようにしてもよい。
【０１２０】
なお、前記図２、図３に示すテープカセット２１では、カセットケース２２内に印刷テープ３１とインクリボン３５を収容するものであるが、印刷テープ３１とインクリボン３５を夫々のカセットに収容し、それらのカセットを１組として印刷装置１に装着してもよい。
【０１２１】
また、印刷テープ３１に対してインクリボン３５のインクを熱転写して印刷を行う例について説明したが、印刷テープ３１の基材テープ３２の表面に感熱発色層を設け、それをサーマルヘッド７で発色させて印刷を行うようにしてもよい。その場合にはテープカセット２１のインクリボン３５は不要になる。
【０１２２】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１２３】
【図１】本発明の一実施形態に係る印刷装置の平面図。
【図２】その印刷装置に装着されるテープカセットの外観斜視図及び印刷装置の内部構造の一部を示す斜視図。
【図３】テープカセットの内部構造を示す平面図。
【図４】印刷装置の電子回路のブロック図。
【図５】印刷装置により作成する装着用ラベルの装着対象物の外周長データテーブルを示す図。
【図６】第１実施形態の印刷テープの断面図。
【図７】（ａ）装着用ラベルの正面図、（ｂ）装着用ラベルの側面図、（ｃ）剥離テープの一部を除去した装着用ラベルの側面図。
【図８】（ａ）第１のラベルの正面図、（ｂ）第２のラベルの正面図、（ｃ）第３のラベルの正面図、（ｄ）第４のラベルの正面図。
【図９】対象物に装着用ラベルを装着した状態の斜視図。
【図１０】印刷装置の第１実施形態に係る装着用ラベルの作成処理を示すフローチャート。
【図１１】印刷装置の表示部の表示画面の説明図。
【図１２】図６の印刷テープから作成した装着用ラベルの印刷例の正面図。
【図１３】第１実施形態の他のラベルの印刷例を示す図。
【図１４】（ａ）第２実施形態に係る印刷テープの正面図、（ｂ）その側面図、（ｃ）その背面図。
【図１５】第２実施形態に係る他の印刷テープの正面図。
【図１６】印刷装置の第２実施形態に係る装着用ラベルの作成処理を示すフローチャート。
【図１７】第２実施形態に係る更に他の印刷テープを示す側面図。
【図１８】（ａ）第３実施形態に係る印刷テープの正面図、（ｂ）その側面図。
【図１９】第３実施形態に係る他の印刷テープを示す側面図。
【図２０】（ａ）他の実施形態に係る印刷テープの背面図、（ｂ）その側面図。
【図２１】（ａ）他の実施形態の変形例に係る印刷テープの背面図、（ｂ）その側面図。
【符号の説明】
【０１２４】
１  …印刷装置（切断装置）
２  …装置本体
３  …キー入力部
４  …表示部
５  …開閉蓋
６  …カセット装着部
７  …サーマルヘッド
８  …プラテンローラ
９  …リボン巻取り軸
１０  …カセット受け部
１１  …嵌合軸
１２  …テープ排出口
１３  …カッタ（フルカット用）
１４  …カッタ（ハーフカット用）
１５  …カセット種別検出スイッチ
１６  …マーク検出センサ
２１  …テープカセット（シートカセット）
２２  …カセットケース
２３  …テープコア
２４  …リボン供給コア
２５  …リボン巻取コア
２６  …起立軸
２７  …サーマルヘッド配置用の凹部
２９  …位置合せ用の突起部
３０  …テープ種別の識別部
３１  …印刷テープ（シート材）
３２  …基材テープ（基材シート）
３３  …貼着層
３４  …剥離テープ（剥離シート）
３５  …インクリボン
４０  …ラベル（シート物）
４０ａ…巻回領域
４０ｂ…貼着領域
４０ｃ…非巻回領域
４１  …位置情報検出用のマーク
４５  …ラベル表記用の文字列
４６  …注意喚起用の文字列
５０  …制御部
５１  …ＲＯＭ
５１ａ…外周長データテーブル
５２  …ＲＡＭ
５２ａ…選択ラベル種類レジスタ
５２ｂ…選択領域設定レジスタ
５２ｃ…選択対象物レジスタ
５２ｄ…領域長さ設定レジスタ
５２ｅ…テープ搬送量カウンタ
５２ｆ…対象物外周長登録レジスタ
５３  …サーマルヘッドの駆動回路
５４  …搬送モータ
５５  …搬送モータの駆動回路
５６  …カッタモータ
５７  …カッタモータの駆動回路
１００  …対象物
ＨＣ  …ハーフカット（位置）
ＦＣ  …フルカット（位置）
Ｇ  …注意喚起の表示画面
【図１】
2006264031.tif 000003
【図２】
2006264031.tif 000004
【図３】
2006264031.tif 000005
【図４】
2006264031.tif 000006
【図５】
2006264031.tif 000007
【図６】
2006264031.tif 000008
【図７】
2006264031.tif 000009
【図８】
2006264031.tif 000010
【図９】
2006264031.tif 000011
【図１０】
2006264031.tif 000012
【図１１】
2006264031.tif 000013
【図１２】
2006264031.tif 000014
【図１３】
2006264031.tif 000015
【図１４】
2006264031.tif 000016
【図１５】
2006264031.tif 000017
【図１６】
2006264031.tif 000018
【図１７】
2006264031.tif 000019
【図１８】
2006264031.tif 000020
【図１９】
2006264031.tif 000021
【図２０】
2006264031.tif 000022
【図２１】
2006264031.tif 000023